(57)【要約】【課題】住宅で日常使用している空気調和機を利用して、居住者が住宅内にいると思わせることによって、住宅内に侵入することを思いとどまらせることができる安価な防犯装置とする。【解決手段】タイマー制御手段３と、外出中かどうかを設定する外出モード設定手段４と、室外ファン運転制御手段５と、室外機の送風ファン６と、室内機から赤外線リモコンの信号を送信する赤外線信号送信手段１１と、空気調和機の設定内容を音声で告知する音声告知手段１０からなり、外出モード設定手段４により外出中と設定された場合、空気調和機が停止中であっても、室外ファン運転制御手段５により送風ファン６だけを運転させるとともに、赤外線信号送信手段１１により送風ファンの運転に同期して室内機から室内照明灯を点灯させ、さらに音声告知手段１０により何らかの設定内容を音声で告知するようにしたことにより、侵入者に居住者が住宅内にいると思わせることができる。【選択図】図１
2008209015.tif 000002
【特許請求の範囲】
【請求項１】
空気調和機の運転を制御するタイマー制御手段と、居住者が外出中かどうかを設定する外出モード設定手段と、室内機から室外機の送風ファンの運転を制御することが可能な室外ファン運転制御手段と、空気調和機の運転内容を設定する手段であるリモコンと、空気調和機の運転状態や検出した温度などの情報を空気調和機のリモコンに表示するために室内機から赤外線リモコンの信号を送信することが可能な赤外線信号送信手段と、リモコンを操作された際に空気調和機の運転状態や設定内容を音声で告知する音声告知手段を備えた分離型空気調和機において、前記外出モード設定手段により居住者が外出中と設定された場合、空気調和機の運転が停止中であっても、前記室外ファン運転制御手段により、室外機の送風ファンだけを連続運転させるとともに、前記赤外線信号送信手段により、送風ファンの運転に同期して室内機から室内照明灯を点灯させるようにし、さらに前記音声告知手段により、リモコンの操作がなくてもある所定の間隔で何らかのリモコン設定内容を音声で告知するようにしたことを特徴とする空気調和機の制御装置。
【請求項２】
居住者が外出中と設定された場合、空気調和機の運転が停止中であっても、室外機の送風ファンだけを断続運転させるとともに、送風ファンの運転に同期して室内機から室内照明灯を点灯させるようにし、さらにリモコンの操作がなくてもある所定の間隔で何らかのリモコン設定内容を音声で告知するようにしたことを特徴とした請求項１に記載の空気調和機の制御装置。
【請求項３】
居住者が外出中と設定された場合、空気調和機の運転が停止中であっても、タイマーで設定された時間になると、室外機の送風ファンを運転／停止させるとともに、送風ファンの運転に同期して室内機から室内照明灯を点灯させるようにし、さらにリモコンの操作がなくてもある所定の間隔で何らかのリモコン設定内容を音声で告知するようにしたことを特徴とした請求項１に記載の空気調和機の制御装置。
【請求項４】
音声告知のタイミングは、室外機の送風ファンの運転／停止のタイミングに同期するようにしたことを特徴とした請求項２または３に記載の空気調和機の制御装置。
【請求項５】
タイマー制御手段は、居住者が外出中と設定された場合には、室外機の送風ファンの運転開始時間及び運転終了時間が設定でき、そうでない場合には、空気調和機の運転開始時間及び運転終了時間が設定できるようにしたことを特徴とした請求項１〜４のいずれか１項に記載の空気調和機の制御装置。
【請求項６】
外出モード設定手段は、空気調和機の運転／停止や設定温度などの操作を行うためのリモコンにより設定できるようにしたことを特徴とした請求項１〜５のいずれか１項に記載の空気調和機の制御装置。
【請求項７】
外出モード設定手段は、空気調和機の運転／停止の操作を行うために室内機に設けられた本体運転スイッチにより設定できるようにしたことを特徴とした請求項１〜６のいずれか１項に記載の空気調和機の制御装置。
【請求項８】
赤外線信号送信手段は、居住者が外出中と設定された場合には、送風ファンの運転に同期して室内照明灯の点灯や消灯を制御する信号を送信し、そうでない場合には、空気調和機の運転状態や検出した室内温度や屋外温度、湿度などの情報をリモコンに表示するための信号を送信するようにしたことを特徴とした請求項１〜７のいずれか１項に記載の空気調和機の制御装置。
【請求項９】
音声告知手段は、居住者が外出中と設定された場合には、外出モード専用の音声内容を告
知するようにし、そうでない場合には、実際の空気調和機の運転状態や設定内容を告知するようにしたことを特徴とした請求項１〜８のいずれか１項に記載の空気調和機の制御装置。
【発明の詳細な説明】
【技術分野】
【０００１】
本発明は、空気調和機に具備した制御装置に関するものであり、特に居住者が外出中の防犯を目的とした制御に関するものである。
【背景技術】
【０００２】
従来、住宅の防犯装置として、住宅内や住宅の周囲に人体検知センサを設けて、人体検知センサが作動した場合には、その検知信号を室内照明灯や音響機器に送信し、室内の照明灯を点灯させたり、室内の音響機器で音響を発生させたりして、侵入者が住宅内に侵入することを防止するようなシステムがある（例えば、特許文献１参照）。
【特許文献１】特開２００４−３５５３９０号公報
【発明の開示】
【発明が解決しようとする課題】
【０００３】
しかしながら、特許文献１に記載の防犯装置の構成では、住宅の周囲に人体検知センサを設置する必要があり、また、室内の照明灯や音響機器にセンサの検知信号を送信するための送信手段が必要であるため、人体検知センサや送信手段の費用や設置工事の費用がかさむという課題を有していた。
【０００４】
本発明は、前記従来の課題を解決するもので、住宅で日常使用している空気調和機を利用することにより安価な防犯装置とし、侵入者に居住者が住宅内にいると思わせることによって、住宅内に侵入することを思いとどまらせるようにした、空気調和機の制御装置を提供することを目的とする。
【課題を解決するための手段】
【０００５】
前記従来の課題を解決するために、本発明の空気調和機の制御装置は、居住者が外出中と設定された場合、空気調和機の運転が停止中であっても、室外ファン運転制御手段により、室外機の送風ファンだけを運転させるとともに、赤外線信号送信手段により、室内機から室内照明灯の点灯や消灯を行うようにし、さらに音声告知手段により、リモコンの操作がなくてもある所定の間隔で何らかのリモコン設定内容を音声で告知するようにしたものである。
【０００６】
これによって、侵入者に居住者が住宅内にいると思わせることができるようになる。
【発明の効果】
【０００７】
本発明の空気調和機の制御装置は、居住者が外出中と設定された場合、空気調和機の運転が停止中であっても、室外ファン運転制御手段により、室外機の送風ファンだけを運転させるとともに、赤外線信号送信手段により、室内機から室内照明灯の点灯や消灯を行うようにし、さらに音声告知手段により、リモコンの操作がなくてもある所定の間隔で何らかのリモコン設定内容を音声で告知して、あたかも居住者がリモコンを操作したかのようにすることで、侵入者に居住者が住宅内にいると思わせることができ、住宅内に侵入することを思いとどまらせることができる。
【０００８】
また、日常使用している空気調和機が利用できるので、新たに人体検知センサを設置したり、防犯専用の装置を設置する必要がないため、設置コストも安くできる。また、室外機の送風ファンだけを運転するので、ランニングコストも安くできる。
【発明を実施するための最良の形態】
【０００９】
第１の発明は、空気調和機の運転を制御するタイマー制御手段と、居住者が外出中かどうかを設定する外出モード設定手段と、室内機から室外機の送風ファンの運転を制御することが可能な室外ファン運転制御手段と、空気調和機の運転内容を設定する手段であるリモコンと、空気調和機の運転状態や検出した温度などの情報を空気調和機のリモコンに表示するために室内機から赤外線リモコンの信号を送信することが可能な赤外線信号送信手段と、リモコンを操作された際に空気調和機の運転状態や設定内容を音声で告知する音声告知手段を備えた分離型空気調和機において、前記外出モード設定手段により居住者が外出中と設定された場合、空気調和機の運転が停止中であっても、前記室外ファン運転制御手段により、室外機の送風ファンだけを連続運転させるとともに、前記赤外線信号送信手段により、送風ファンの運転に同期して室内機から室内照明灯の点灯や消灯を行うようにし、さらに前記音声告知手段により、リモコンの操作がなくてもある所定の間隔で何らかのリモコン設定内容を音声で告知するようにしたことにより、侵入者に居住者が住宅内にいると思わせることができ、住宅内に侵入することを思いとどまらせることができる。
【００１０】
第２の発明は、居住者が外出中と設定された場合、空気調和機の運転が停止中であっても、室外機の送風ファンだけを断続運転させるとともに、送風ファンの運転に同期して室内機から室内照明灯の点灯や消灯を行うようにし、さらにリモコンの操作がなくてもある所定の間隔で何らかのリモコン設定内容を音声で告知するようにしたことにより、消費電力をおさえつつ侵入者に居住者が住宅内にいると思わせることができ、住宅内に侵入することを思いとどまらせることができる。
【００１１】
第３の発明は、居住者が外出中と設定された場合、空気調和機の運転が停止中であっても、タイマーで設定された時間になると、室外機の送風ファンを運転／停止させるとともに、送風ファンの運転に同期して室内機から室内照明灯の点灯や消灯を行うようにし、さらにリモコンの操作がなくてもある所定の間隔で何らかのリモコン設定内容を音声で告知するようにしたことにより、居住者の生活パターンに合わせた形で侵入者に居住者が住宅内にいると思わせることができ、住宅内に侵入することを思いとどまらせることができる。
【００１２】
第４の発明は、特に、第２または第３のいずれかの発明の音声告知のタイミングは、室外機の送風ファンの運転／停止のタイミングに同期するようにしたことにより、居住者のリモコン操作によりエアコンが運転／停止しているように思わせることができ、住宅内に侵入することを思いとどまらせることができる。
【００１３】
第５の発明は、特に、第１〜第４のいずれかの発明のタイマー制御手段は、居住者が外出中と設定された場合には、室外機の送風ファンの運転開始時間及び運転終了時間が設定でき、そうでない場合には、空気調和機の運転開始時間及び運転終了時間が設定できるようにしたことにより、空気調和機のタイマー機能を利用することができ、室外機の送風ファン専用のタイマー機能を設ける必要がなくなる。
【００１４】
第６の発明は、特に、第１〜第５の発明の外出モード設定手段は、空気調和機の運転／停止や設定温度などの操作を行うためのリモコンにより設定できるようにしたことにより、外出モードの設定操作を容易に行うことができ、使い勝手をよくすることができる。
【００１５】
第７の発明は、特に、第１〜第６の発明の外出モード設定手段は、空気調和機の運転／停止の操作を行うために室内機に設けられた本体運転スイッチにより設定できるようにしたことにより、外出モードを設定するための専用の操作スイッチなどを設ける必要がなくなる。
【００１６】
第８の発明は、特に、第１〜第７の発明の赤外線信号送信手段は、居住者が外出中と設
定された場合には、送風ファンの運転に同期して室内照明灯の点灯や消灯を制御する信号を送信し、そうでない場合には、空気調和機の運転状態や検出した室内温度や屋外温度、湿度などの情報をリモコンに表示するための信号を送信するようにしたことにより、空気調和機の赤外線送信機能を利用することができ、室内照明灯を制御するための専用の装置を設ける必要がなくなる。
【００１７】
第９の発明は、特に、第１〜第８の発明の音声告知手段は、居住者が外出中と設定された場合には、外出モード専用の音声内容を告知するようにし、そうでない場合には、実際の空気調和機の運転状態や設定内容を告知するようにしたことにより、実際の空気調和機の運転状態や設定内容に影響を受けずに告知内容を決定することができ、音声告知内容の選択の自由度が広がる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の室内／室外機の制御装置の構成図を示すものである。図１において、室内機は、空気調和機の運転を制御するタイマー制御手段３と、室内機から室外機の送風ファン６の運転を制御することが可能な室外ファン運転制御手段５と、空気調和機の運転状態や検出した温度などの情報を空気調和機のリモコンに表示するために室内機から赤外線リモコンの信号を送信することが可能な赤外線信号送信手段１１と、リモコンを操作された際に空気調和機の運転状態や設定内容を音声で告知する音声告知手段１０を備えた室内機制御装置１、及び居住者が外出中かどうかを設定する外出モード設定手段４と、空気調和機の運転／停止の操作を行うために室内機に設けられた本体運転スイッチ８と、空気調和機の運転／停止や設定温度などの操作を行うためのリモコン７と、音声を発するための音声出力装置９を備えた構成をしている。
【００２０】
また室外機は、室外機の各種制御を行う室外機制御装置２と、室外機の送風ファン６を備えた構成をしている。以上のように構成された空気調和機の制御装置について、以下その動作、作用を説明する。
【００２１】
図２は、本発明の第１の実施の形態における動作を示すフローチャートである。まず、スイッチ等の外出モード設定手段４により居住者が外出中かどうかを空気調和機に設定する（ステップＳＴ１）。設定された状態を室内機制御装置１が判断し（ステップＳＴ２）、居住者が外出中でないと判断された場合は、通常の空気調和機の動作を行う（ステップＳＴ３）。その際にリモコン７を操作して空気調和機の設定内容が変更されたかどうかを判断し（ステップＳＴ４）、リモコン操作が行われた場合にはリモコンで設定された内容に基づき音声告知手段１０で音声内容を決定し、音声出力装置９を用いて音声告知を行う（ステップＳＴ５）。居住者が外出中であると判断された場合は、室内機制御装置１は空気調和機が運転中であるか停止中であるかを判断し（ステップＳＴ６）、空気調和機が運転中であれば、通常の空気調和機の運転を継続する（ステップＳＴ３）。空気調和機が停止中であれば、室内機から室外機に対し、室外機の送風ファン６のみを運転するように室外ファン運転制御手段５から指示を送る（ステップＳＴ７）。
【００２２】
この指示に基づいて、室外機の送風ファン６の運転が行われる（ステップＳＴ８）。この時、送風ファンの運転に同期して室内機の赤外線信号送信手段１１から室内照明灯に信号を送信し、室内照明灯を点灯させる（ステップＳＴ９）。またこの時、ある所定の時間をカウントし所定の時間が経過したら（ステップＳＴ１０）、リモコン７からの操作有無にかかわらず、何らかのリモコン設定内容を音声で告知させる（ステップＳＴ１１）。
【００２３】
以上のように、本実施の形態においては、侵入者に居住者が住宅内にいると思わせることができ、住宅内に侵入することを思いとどまらせることができる。
【００２４】
また、本実施の形態の空気調和機は、居住者が外出中と設定された場合、空気調和機の運転が停止中であっても、室外機の送風ファン６だけを断続運転させるとともに、送風ファンの運転に同期して室内機から室内照明灯の点灯や消灯を行うようにし、さらにリモコン７の操作がなくてもある所定の間隔で何らかのリモコン設定内容を音声で告知するようにしたことにより、消費電力をおさえつつ侵入者に居住者が住宅内にいると思わせることができ、住宅内に侵入することを思いとどまらせることができる。
【００２５】
また、本実施の形態の空気調和機は、居住者が外出中と設定された場合、空気調和機の運転が停止中であっても、タイマーで設定された時間になると、室外機の送風ファン６を運転／停止させるとともに、送風ファンの運転に同期して室内機から室内照明灯の点灯や消灯を行うようにし、さらにリモコン７の操作がなくてもある所定の間隔で何らかのリモコン設定内容を音声で告知するようにしたことにより、居住者の生活パターンに合わせた形で侵入者に居住者が住宅内にいると思わせることができ、住宅内に侵入することを思いとどまらせることができる。
【００２６】
また、本実施の形態の音声告知のタイミングは、室外機の送風ファン６の運転／停止のタイミングに同期するようにしたことにより、居住者のリモコン操作によりエアコンが運転／停止しているように思わせることができ、住宅内に侵入することを思いとどまらせることができる。
【００２７】
また、本実施の形態のタイマー制御手段３は、居住者が外出中と設定された場合には、室外機の送風ファン６の運転開始時間及び運転終了時間が設定でき、そうでない場合には、空気調和機の運転開始時間及び運転終了時間が設定できるようにしたことにより、空気調和機のタイマー機能を利用することができ、室外機の送風ファン専用のタイマー機能を設ける必要がなくなる。
【００２８】
また、本実施の形態の外出モード設定手段４は、空気調和機の運転／停止や設定温度などの操作を行うためのリモコン７により設定できるようにしたことにより、外出モードの設定操作を容易に行うことができ、使い勝手をよくすることができる。
【００２９】
また、本実施の形態の外出モード設定手段４は、空気調和機の運転／停止の操作を行うために室内機に設けられた本体運転スイッチ８により設定できるようにしたことにより、外出モードを設定するための専用の操作スイッチなどを設ける必要がなくなる。
【００３０】
また、本実施の形態の赤外線信号送信手段１１は、居住者が外出中と設定された場合には、送風ファンの運転に同期して室内照明灯の点灯や消灯を制御する信号を送信し、そうでない場合には、空気調和機の運転状態や検出した室内温度や屋外温度、湿度などの情報をリモコンに表示するための信号を送信するようにしたことにより、空気調和機の赤外線送信機能を利用することができ、室内照明灯を制御するための専用の装置を設ける必要がなくなる。
【００３１】
また、本実施の形態の音声告知手段１０は、居住者が外出中と設定された場合には、外出モード専用の音声内容を告知するようにし、そうでない場合には、実際の空気調和機の運転状態や設定内容を告知するようにしたことにより、実際の空気調和機の運転状態や設定内容に影響を受けずに告知内容を決定することができ、音声告知内容の選択の自由度が広がる。
【産業上の利用可能性】
【００３２】
以上のように、本発明にかかる空気調和機の制御装置は、侵入者に居住者が住宅内にいると思わせることができ、住宅内に侵入することを思いとどまらせることができるので、防犯専用の装置を設置する必要もなく、安価に防犯機能を実現することが可能となるので、防犯対策に貢献できる空気調和機を提供することができる。
【図面の簡単な説明】
【００３３】
【図１】本発明の実施の形態１における空気調和機の制御装置の構成図
【図２】本発明の実施の形態１における動作を示すフローチャート
【符号の説明】
【００３４】
１  室内機制御装置
２  室外機制御装置
３  タイマー制御手段
４  外出モード設定手段
５  室外ファン運転制御手段
６  室外機送風ファン
７  リモコン
８  本体運転スイッチ
９  音声出力装置
１０  音声告知手段
１１  赤外線信号送信手段
【図１】
2008209015.tif 000003
【図２】
2008209015.tif 000004